(57)【要約】【課題】積層構造と単層構造の両方に利用でき、壁パネルと表面材との間や表面材と基材との間のシール切れを防止できる浴室用洗い場床を提供する。【解決手段】基材１１と、前記基材の上に設けられた表面材３０であって、縁部３２と、前記縁部よりも内側に設けられ、前記基材に対向する側が後退した凹部３１と、を有し、前記縁部において前記基材と接着された表面材と、前記基材と前記凹部との間に設けられたクッション材２０と、前記基材及び前記縁部の少なくともいずれかの直上に立設される壁パネル８０と前記縁部との間を水密的に塞ぐシール部５０と、を備えたことを特徴とする浴室用洗い場が提供される。【選択図】図１
2010248890.tif 000002
【特許請求の範囲】
【請求項１】
基材と、
前記基材の上に設けられた表面材であって、縁部と、前記縁部よりも内側に設けられ、前記基材側に対向する側の面が前記縁部に対して凹状に形成された凹部と、を有し、前記縁部において前記基材と接着された表面材と、
前記基材と前記凹部との間に設けられたクッション材と、
前記基材及び前記縁部の少なくともいずれかの直上に立設される壁パネルと前記縁部との間を水密的に塞ぐシール部と、
を備えたことを特徴とする浴室用洗い場床。
【請求項２】
周縁に立ち上がり形成された壁パネルを載置するための水返し部を有する基材と、
前記基材の上に設けられた表面材であって、縁部と、前記縁部よりも内側に設けられ、前記基材側に対向する側の面が前記縁部に対して凹状に形成された凹部と、を有し、前記縁部において前記基材と接着された表面材と、
前記基材と前記凹部との間に設けられたクッション材と、
前記水返し部と前記縁部との間を水密的に塞ぐシール部と、
を備えたことを特徴とする浴室用洗い場床。
【請求項３】
洗い場側と浴槽側とを区切るための上方に突出した土手部を有する基材と、
前記洗い場側に位置する前記基材の上に設けられた表面材であって、縁部と、前記縁部よりも内側に設けられ、前記基材側に対向する側の面が前記縁部に対して凹状に形成された凹部と、を有し、前記縁部において前記基材と接着された表面材と、
前記基材と前記凹部との間に設けられたクッション材と、
前記土手部と前記縁部との間を水密的に塞ぐシール部と、
を備えたことを特徴とする浴室用洗い場床。
【請求項４】
前記凹部の底面と、前記縁部の底面とは、下方に向けて拡開した傾斜部によって繋がっていることを特徴とする請求項１〜３のいずれか１つに記載の浴室用洗い場床。
【請求項５】
前記凹部の前記基材とは反対の側の面と、前記縁部の前記基材とは反対の側の面と、は連続した面であることを特徴とする請求項１〜４のいずれか１つに記載の浴室用洗い場床。
【請求項６】
前記凹部は、可撓性を有する程度の厚みで形成されていることを特徴とする請求項１〜５のいずれか１項に記載の浴室用洗い場床。
【請求項７】
前記表面材は、浴室用洗い場床としての基本性能を満足できる程度の硬質性を有していることを特徴とする請求項１〜６のいずれか１項に記載の浴室用洗い場床。
【発明の詳細な説明】
【技術分野】
【０００１】
本発明の態様は、一般的に、浴室用洗い場床に関する。
【背景技術】
【０００２】
例えば、浴室ユニットに用いられる洗い場床として、例えば基材とクッション層と表面材とを積層した構造のものがある。
【０００３】
例えば、特許文献１（特許第４１８６１２７号公報）には、基材に凹部を設け、その凹部内にクッション層を積層し、凹部の縁上に表面材の端部を積層する構造が開示されている。これにより、洗い場床の周囲に設けられる壁パネルと表面材との間や、表面材と基材との間のシール切れが防止できる。しかしながら、このような基材は、凹部が設けられているために、クッション層及び表面材と組み合わせない単層の洗い場床としては用いることができず、積層の床と単層の床とで兼用できず、改良の余地がある。
【先行技術文献】
【特許文献】
【０００４】
【特許文献１】特許第４１８６１２７号公報
【発明の概要】
【発明が解決しようとする課題】
【０００５】
本発明の態様は、積層構造と単層構造の両方に利用でき、壁パネルと表面材との間や表面材と基材との間のシール切れを防止できる浴室用洗い場床を提供する。
【課題を解決するための手段】
【０００６】
本発明の一態様によれば、基材と、前記基材の上に設けられた表面材であって、縁部と、前記縁部よりも内側に設けられ、前記基材側に対向する側の面が前記縁部に対して凹状に形成された凹部と、を有し、前記縁部において前記基材と接着された表面材と、前記基材と前記凹部との間に設けられたクッション材と、前記基材及び前記縁部の少なくともいずれかの直上に立設される壁パネルと前記縁部との間を水密的に塞ぐシール部と、を備えたことを特徴とする浴室用洗い場床が提供される。
【０００７】
本発明の別の一態様によれば、周縁に立ち上がり形成された壁パネルを載置するための水返し部を有する基材と、前記基材の上に設けられた表面材であって、縁部と、前記縁部よりも内側に設けられ、前記基材側に対向する側の面が前記縁部に対して凹状に形成された凹部と、を有し、前記縁部において前記基材と接着された表面材と、前記基材と前記凹部との間に設けられたクッション材と、前記水返し部と前記縁部との間を水密的に塞ぐシール部と、を備えたことを特徴とする浴室用洗い場床が提供される。
【０００８】
本発明の別の一態様によれば、洗い場側と浴槽側とを区切るための上方に突出した土手部を有する基材と、前記洗い場側に位置する前記基材の上に設けられた表面材であって、縁部と、前記縁部よりも内側に設けられ、前記基材側に対向する側の面が前記縁部に対して凹状に形成された凹部と、を有し、前記縁部において前記基材と接着された表面材と、前記基材と前記凹部との間に設けられたクッション材と、前記土手部と前記縁部との間を水密的に塞ぐシール部と、を備えたことを特徴とする浴室用洗い場床が提供される。
【発明の効果】
【０００９】
本発明の態様によれば、積層構造と単層構造の両方に利用でき、壁パネルと表面材との間や表面材と基材との間のシール切れを防止できる浴室用洗い場床が提供される。
【図面の簡単な説明】
【００１０】
【図１】第１の実施形態に係る浴室用洗い場床を例示する模式的断面図である。
【図２】図１のＡ部を拡大して例示する模式的断面図である。
【図３】第１の実施形態に係る変形例の浴室用洗い場床の要部を例示する模式的断面図である。
【図４】第１の実施形態に係る変形例の浴室用洗い場床の要部を例示する模式的断面図である。
【図５】第１の実施形態に係る変形例の浴室用洗い場床の要部を例示する模式的断面図である。
【図６】第１の実施形態に係る別の変形例の浴室用洗い場床を例示する模式的断面図である。
【図７】実施例の浴室用洗い場床を例示する模式的断面図である。
【図８】実施例の浴室用洗い場床の一部を例示する模式的断面図である。
【図９】第２の実施形態に係る浴室用洗い場床を例示している。
【図１０】第２の実施形態に係る変形例の浴室用洗い場床を例示している。
【図１１】第３の実施形態に係る浴室用洗い場床を例示する模式的断面図である。
【図１２】図１１のＡ部を拡大して例示する模式的断面図である。
【発明を実施するための形態】
【００１１】
第１の発明は、基材と、前記基材の上に設けられた表面材であって、縁部と、前記縁部よりも内側に設けられ、前記基材側に対向する側の面が前記縁部に対して凹状に形成された凹部と、を有し、前記縁部において前記基材と接着された表面材と、前記基材と前記凹部との間に設けられたクッション材と、前記基材及び前記縁部の少なくともいずれかの直上に立設される壁パネルと前記縁部との間を水密的に塞ぐシール部と、を備えたことを特徴とする浴室用洗い場床である。  
この浴室用洗い場床によれば、基材にクッション材を格納するための凹部を形成する必要がないので、積層構造と単層構造の両方に利用できる。また、シール部は、壁パネルと、上下方向に変形しにくい縁部と、の間に配置されるので、壁パネルと表面材との間のシール切れを防止できる。そして、表面材に設けられた凹部にクッション材が格納されるため、表面材へ応力が加えられることがなく、表面材と基材との接着強度が高く、これにより、表面材と基材との間のシール切れを防止できる。
【００１２】
また、第２の発明は、周縁に立ち上がり形成された壁パネルを載置するための水返し部を有する基材と、前記基材の上に設けられた表面材であって、縁部と、前記縁部よりも内側に設けられ、前記基材側に対向する側の面が前記縁部に対して凹状に形成された凹部と、を有し、前記縁部において前記基材と接着された表面材と、前記基材と前記凹部との間に設けられたクッション材と、前記水返し部と前記縁部との間を水密的に塞ぐシール部と、を備えたことを特徴とする浴室用洗い場床である。  
この浴室用洗い場床によれば、基材にクッション材を格納するための凹部を形成する必要がないので、積層構造と単層構造の両方に利用できる。また、シール部は、前記水返し部と、前記縁部と、の間に配置されるので、基材と表面材との間のシール切れを防止できる。そして、表面材に設けられた凹部にクッション材が格納されるため、表面材へ応力が加えられることがなく、表面材と基材との接着強度が高く、これにより、表面材と基材との間のシール切れを防止できる。
【００１３】
また、第３の発明は、洗い場側と浴槽側とを区切るための上方に突出した土手部を有する基材と、前記洗い場側に位置する前記基材の上に設けられた表面材であって、縁部と、前記縁部よりも内側に設けられ、前記基材側に対向する側の面が前記縁部に対して凹状に形成された凹部と、を有し、前記縁部において前記基材と接着された表面材と、前記基材と前記凹部との間に設けられたクッション材と、前記土手部と前記縁部との間を水密的に塞ぐシール部と、を備えたことを特徴とする浴室用洗い場床である。  
この浴室用洗い場床によっても、基材にクッション材を格納するための凹部を形成する必要がないので、積層構造と単層構造の両方に利用できる。また、シール部は、土手部と、上下方向に変形しにくい縁部と、の間に配置されるので、土手部と表面材との間のシール切れを防止できる。そして、表面材に設けられた凹部にクッション材が格納されるため、表面材へ応力が加えられることがなく、表面材と基材との接着強度が高く、これにより、表面材と基材との間のシール切れを防止できる。
【００１４】
また、第４の発明は、第１〜第３の発明のいずれか１つの発明において、前記凹部の底面と、前記縁部の底面とは、下方に向けて拡開した傾斜部によって繋がっていることを特徴とする浴室用洗い場床である。  
この浴室用洗い場床によれば、表面材の厚さが急激に変化しないため、表面材の外観不良が起きにくく、また、表面材のピンスポットに集中負荷がかかることがないため、耐久性にも優れる。さらに、洗い場床の硬い部分と軟らかい部分との境界が緩やかに変化するため、使用者は違和感を得にくい。
【００１５】
また、第５の発明は、第１〜第４の発明のいずれか１つの発明において、前記凹部の前記基材とは反対の側の面と、前記縁部の前記基材とは反対の側の面と、は連続した面であることを特徴とする浴室用洗い場床である。  
この浴室用洗い場床によれば、使用者に違和感を与えることがなく、積層構造と単層構造の両方に利用でき、壁パネルと表面材との間や表面材と基材との間のシール切れを防止できる。
【００１６】
また、第６の発明は、第１〜第５の発明のいずれか１つの発明において、前記凹部は、可撓性を有する程度の厚みで形成されていることを特徴とする浴室用洗い場床である。  
この浴室用洗い場床によれば、使用者に軟らかい感触を与えることができる。
【００１７】
また、第７の発明は、第１〜第６の発明のいずれか１つの発明において、前記表面材は、浴室用洗い場床としての基本性能を満足できる程度の硬質性を有していることを特徴とする浴室用洗い場床である。  
この浴室用洗い場床によれば、浴室用洗い場床としての基本性能を発揮しつつ、積層構造と単層構造の両方に利用でき、壁パネルと表面材との間や表面材と基材との間のシール切れを防止できる。
【００１８】
以下、本発明の実施の形態について図面を参照しつつ説明する。なお、各図面中、同様の構成要素には同一の符号を付して詳細な説明は適宜省略する。  
図１〜図１２は、本発明の実施形態に係る浴室用洗い場床を例示する模式的断面図である。すなわち、図１は、第１の実施形態に係る浴室用洗い場床を例示している。図２は、浴室用洗い場床の要部を例示しており、図１のＡ部を拡大して例示している。図３〜図５は、第１の実施形態に係る変形例の浴室用洗い場床の要部を例示している。図６は、第１の実施形態に係る別の変形例の浴室用洗い場床を例示している。図７は、実施例の浴室用洗い場床を例示しており、図８は、実施例の浴室用洗い場床の一部を例示している。図９は、第２の実施形態に係る浴室用洗い場床を例示し、図１０は、第２の実施形態に係る変形例の浴室用洗い場床を例示している。図１１は、第３の実施形態に係る浴室用洗い場床を例示している。図１２は、浴室用洗い場床の要部を例示しており、図１１のＡ部を拡大して例示している。
【００１９】
（第１の実施の形態）
図１に表したように、第１の実施形態に係る浴室用洗い場床１ａは、基材１１とクッション材２０と表面材３０とシール部５０とを備える。
【００２０】
下層から、基材１１、クッション材２０及び表面材３０の順に積層される。
【００２１】
基材１１は、硬質な材料で形成される。すなわち、基材１１は、浴室外に湯水を漏出させない防水性、及び浴室壁パネル、天井パネル、風呂椅子、洗面器などの静荷重、使用者の動荷重を受けても撓んだり破損しない強度を有する硬質材料から形成される。基材１１は、例えば、ＦＲＰ（Fiber Reinforced Plastic）等の熱硬化性樹脂、あるいはポリプロピレン、ポリエチレン等の熱可塑性樹脂に補強を施したものから形成される。基材１１は、表面材３０及びクッション材２０よりも機械的強度が高い。
【００２２】
表面材３０は、基材１１の上に設けられる。  
表面材３０は、縁部３２と凹部３１とを有する。表面材３０は、縁部３２において、基材１１と接着されている。  
凹部３１は、縁部３２よりも内側に設けられた部分であり、表面材３０と基材１１とを積層した時に、基材１１の側に対向する側の面が縁部３２に対して凹状に形成された部分である。すなわち、凹部３１は、基材１１に対向する側が後退した部分であり、凹部３１は、表面材３０と基材１１とを積層した時に、下側に開口している。
【００２３】
すなわち、表面材３０は、厚肉部３２ａと、厚肉部３２ａよりも内側に設けられた薄肉部３１ａとを有しており、厚肉部３２ａは上記の縁部３２に相当し、薄肉部３１ａは上記の凹部３１に相当する。そして、表面材３０の凹部３１は、可撓性を有する程度の厚みで形成されている。
【００２４】
表面材３０は、浴室用洗い場床としての基本性能を満足できる程度の硬質性を有している。すなわち、表面材３０は、耐水性、耐薬品性、耐摩耗性、耐衝撃性など、洗い場床表面に要求される基本性能（耐久性）を満足する材料から形成されている。表面材３０には、例えば、ＦＲＰ、ＰＶＣ（塩化ビニル）、ポリプロピレン、ポリエチレン、ウレタン樹脂、ポリエステル樹脂、アクリル樹脂、スチレン・ポリエステル・オレフィン・アクリル系の各種エラストマー、ＥＶＡ、ＥＰＤＭ、シリコンゴムなどのゴム（硬質）系、あるいはこれらを十分な耐久性が期待できる程度の硬さに調整したもの、あるいはこれらをベースに充填材や強化材を加えた複合材料などが用いられる。但し、これらの材料は一例であって、その他、表面材３０の材料としては、浴室の一般的な使用に際し十分な耐久性を有するべく強靱な材料であれば良く、前述したものに限られない。
【００２５】
クッション材２０は、表面材３０の凹部３１と基材１１との間に設けられる。すなわち、クッション材２０は、表面材３０の凹部３１の内部に格納された状態で、表面材３０と基材１１との間に挟み込まれる。
【００２６】
すなわち、凹部３１の領域においては、基材１１とクッション材２０と表面材３０とが積層される。一方、縁部３２の領域においては、表面材３０の縁部３２と基材１１との間には、クッション材２０は介在せず、基材１１と表面材３０とが積層される。
【００２７】
すなわち、クッション材２０の直上に、表面材３０の薄肉部３１ａが積層され、クッション材２０が積層されていない基材１１の直上に、表面材３０の厚肉部３２ａが積層される。
【００２８】
クッション材２０には、弾性変形可能であり、例えばウレタン等の発泡体等を用いることができる。すなわち、クッション材２０は、基材１１及び表面材３０よりも弾性変形し易い。
【００２９】
表面材３０の凹部３１は、可撓性を有する程度の厚みで形成されているため、基材１１とクッション材２０と表面材３０とが積層された浴室用洗い場床１ａの床面は、使用者に軟らかい感触を与えることができる。
【００３０】
一方、シール部５０は、壁パネル８０と表面材３０の縁部３２との間を水密的に塞ぐ。  シール部５０には、例えばシリコーンなどの常温硬化型の液状樹脂や、硬質な目地材が用いられる。
【００３１】
壁パネル８０は、洗い場床の周囲に設けられるものであり、基材１１及び縁部３２の少なくともいずれかの直上に立設される。
【００３２】
このような構成の浴室用洗い場床１ａによれば、例えば、基材１１にクッション材２０を格納するための凹部を形成する必要がなく、基材１１の浴室側の面（上面）は、例えば平坦にすることができる。従って、このような基材１１は、図１に例示したように、クッション材２０と表面材３０とをその上に積層して、積層構造の浴室用洗い場床１ａとしても利用できるし、例えば、クッション材２０や表面材３０を積層せず、単層の浴室用洗い場床にも利用できる。
【００３３】
例えば、基材１１とクッション材２０と表面材３０とを積層した浴室用洗い場床１ａは、ソフト感を持った床となる。もし、このような基材１１を単層で用いた場合には、ソフト感を有さないハード床として、基材１１が利用可能となる。
【００３４】
そして、浴室用洗い場床１ａにおいては、基材１１及び縁部３２の少なくともいずれかの直上に立設される壁パネル８０と、表面材３０の縁部３２と、の間は、シール部５０によって水密的に塞がれる。
【００３５】
この時、壁パネル８０は、表面材３０の厚肉部３２ａである縁部３２と対向する。
【００３６】
例えば、図２に例示したように、浴室用洗い場床１ａにおいては、壁パネル８０が基材１１の直上に立設している。すなわち、基材１１の側壁部１２の内側の壁パネル載置部１３の上に、壁パネル８０が載置される。そして、壁パネル８０の浴室内側の側面と、表面材３０の縁部３２（厚肉部３２ａ）の上面と、にシール部５０が形成される。表面材３０の縁部３２（厚肉部３２ａ）は、凹部３１（薄肉部３１ａ）よりも上下方向の変形が小さいので、壁パネル８０と縁部３２と間のシールに外力が加わりにくい。これにより、壁パネルと表面材との間のシール切れを防止できる。
【００３７】
また、表面材３０に設けられた凹部３１にクッション材２０が格納されるため、基材１１と表面材３０との間にクッション材２０が挟み込まれることに起因した応力が、表面材３０へ加えられることがない。このため、表面材３０と基材１１との接着に悪影響を与えることがなく、表面材３０と基材１１との接着強度は高い。これにより、表面材と基材との間のシール切れを防止できる。
【００３８】
このように、浴室用洗い場床１ａによれば、積層構造と単層構造の両方に利用でき、壁パネルと表面材との間や表面材と基材との間のシール切れを防止できる浴室用洗い場床が提供できる。
【００３９】
また、図３に例示したように、変形例の浴室用洗い場床１ｂにおいては、壁パネル８０が基材１１の直上に立設し、壁パネル８０の下部と、表面材３０の縁部３２と、の間に隙間がある。この場合には、壁パネル８０の下部の側面と、表面材３０の厚肉部３２ａの側面と、が対向する。この場合には、壁パネル８０の下部の側面と、表面材３０の厚肉部３２ａの上面及び側面と、にシール部５０が形成される。これにより、シール部５０が壁パネル８０及び縁部３２に接触する面積が、浴室用洗い場床１ａよりも拡大し、壁パネル８０と縁部３２と間の水密的な封止の強度はさらに高められる。
【００４０】
また、図４に例示したように、別の変形例の浴室用洗い場床１ｃにおいては、壁パネル８０が縁部３２の直上に立設している。この場合には、壁パネル８０の下面と、表面材３０の厚肉部３２ａの上面と、が対向する。この場合には、壁パネル８０の側面と、表面材３０の縁部３２の上面と、にシール部５０が設けられる。縁部３２は、薄肉部３１ａよりも強度が高いので、シール部５０による、壁パネル８０と縁部３２と間の水密的な封止の強度は高い。
【００４１】
また、図５に例示したように、別の変形例の浴室用洗い場床１ｄにおいては、壁パネル８０が縁部３２の直上に立設し、壁パネル８０の下部に凹部がある。この場合には、壁パネル８０の下面及び凹部と、表面材３０の厚肉部３２ａの上面と、が対向する。この場合には、壁パネル８０の下部の側面及び凹部と、表面材３０の縁部３２の上面と、にシール部５０が設けられる。この場合もシール部５０が設けられる縁部３２の強度が高いので、壁パネル８０と縁部３２と間の水密的な封止の強度は高く、さらに、壁パネル８０の下部の凹部にもシール部５０が設けられ、シール部５０と壁パネル８０との接触面積が拡大し、さらに強度が高まる。
【００４２】
なお、上記の浴室用洗い場床１ｂ〜１ｄにおいても、表面材３０に設けられた凹部３１にクッション材２０が格納され、表面材３０へ応力が加えられることがないので、表面材３０と基材１１との接着強度は高い。
【００４３】
さらに、上記の浴室用洗い場床１ａ〜１ｄにおいては、表面材３０に設けられた凹部３１の内部にクッション材２０が格納されるため、表面材３０の上面は、段差のない面状にすることができる。すなわち、凹部３１の上面（基材１１とは反対の側の面）と、縁部３２の上面（基材１１とは反対の側の面）と、は連続した面である。  
これにより、使用者に違和感を与えることがない。
【００４４】
ここで、連続した面とは、凹部３１と縁部３２との境界において、表面材３０の上面（基材１１とは反対の側の面）に段差がないことを指す。そして、表面材３０の上面に、例えば、洗い場床に溜まった水を排水するための各種の形状の溝などが設けられていた場合にも、凹部３１の上面と縁部３２の上面とは連続した面であり、段差がなければ良い。また、洗い場床に溜まった水を排水するために、洗い場床に傾斜が設けられ、この傾斜に従って表面材３０の上面が傾斜を有していても良い。
【００４５】
図６に表したように、変形例の浴室用洗い場床１ｅにおいては、凹部３１の底面と、縁部３２の底面とは、下方に向けて拡開した傾斜部によって繋がっている。すなわち、表面材３０の凹部３１凹部３１は、凹部３１の開口部の側に向けて（すなわち、下方に向けて）、拡開している。これ以外は、浴室用洗い場床１ａと同様である。なお、縁部３２の底面は、基材１１に対向する側の面であり、縁部３２の下面である。
【００４６】
すなわち、凹部３１の側面には、凹部３１の下面（基材１１に対向し、基材１１に対して平行な面）に対して傾斜した傾斜部３１ｓが設けられている。なお、縁部３２の下面（基材１１に対向し、基材１１に対して平行な面）は、凹部３１の下面と実質的に平行なので、凹部３１の側面の傾斜部３１ｓは、縁部３２の下面に対して傾斜している。
【００４７】
具体的には、凹部３１の開口部の広さが、凹部３１の奥に行くに従って小さくなるような傾斜部３１ｓを、凹部３１（薄肉部３１ａ）と縁部３２（厚肉部３２ａ）との境界に設ける。
【００４８】
このように、厚肉部３２ａと薄肉部３１ａの間を傾斜状にすることで、表面材３０の厚さが急激に変化しないため、表面材３０の外観不良（ヒケ等の成形不良）が起きにくい。また、表面材３０のピンスポットに集中負荷がかかることがないため、耐久性にも優れる。
【００４９】
また、厚肉部３２ａでは床表面が相対的に硬く、薄肉部３１ａではクッション材２０によって床表面が相対的に軟らかくなるが、傾斜部３１ｓを設けることで、この硬い部分と軟らかい部分との境界が緩やかに変化するため、使用者は違和感を得にくい。もし、厚肉部３２ａと薄肉部３１ａとの境界が傾斜状でなく、垂直状である場合には、この境界に当たると違和感を得、特に車椅子などで洗い場床の上を移動した際に顕著となる。これに対し、浴室用洗い場床１ｄのように厚肉部３２ａと薄肉部３１ａとの境界に傾斜部３１ｓを設けることで、この違和感を低減することができる。  
なお、傾斜部３１ｓは、図６のように直線状に傾斜するものだけではなく、曲線状に傾斜するものも含む。
【００５０】
なお、表面材３０の凹部３１の傾斜部３１ｓと、基材１１と、の間の空間にもクッション材２０を挿入しても良い。これにより、厚肉部３２ａと薄肉部３１ａとの境界における違和感をさらに低減することができる。なお、この場合には、クッション材２０の周縁部には、凹部３１の傾斜部３１ｓの傾斜に沿うような傾斜を設けることができ、これにより、クッション材２０は、表面材３０の凹部３１と基材１１との間の空間に、この空間からはみ出すことなく、また表面材３０に応力を加えることなく、格納できる。
【００５１】
なお、このように表面材３０の凹部３１の側面の傾斜部３１ｓは、上記の浴室用洗い場床１ｂ〜１ｄのいずれかの場合にも設けることができ、同様の効果を発揮する。
【００５２】
（実施例）
本実施形態に係る実施例の浴室用洗い場床について説明する。  
図７に表したように、実施例に係る浴室用洗い場床１ｆにおいては、基材１１の上に、凹部３１（薄肉部３１ａ）を有する表面材３０が積層され、凹部３１と基材１１との間の空間にクッション材２０が挟み込まれて積層されている。表面材３０の凹部３１の周辺の縁部３２（厚肉部３２ａ）において、基材１１と表面材３０とは接着されている。
【００５３】
そして、基材１１の周縁において、側壁部１２の内側の壁パネル載置部１３の上に、壁パネル８０が立設される。  
そして、シール部５０は、壁パネル８０と縁部３２との間を水密的に塞ぐ。
【００５４】
本具体例では、基材１１の側壁部１２の内側に、側壁部１２に沿って内側壁部１２ａが設けられ、側壁部１２と内側壁部１２ａとの間が、壁パネル載置部１３となる。壁パネル８０の下部の外側の側面は基材１１の側壁部１２に密着している。一方、壁パネル８０の下部の内側の側面と、基材１１の内側壁部１２ａと、の間は離間しており、この間には、シールの補助剤となる発泡性の充填剤５１が充填される。そして、表面材３０の縁部３２と、壁パネル８０の下部の側面と、の間に、シール部５０が埋め込まれる。シール部５０は、充填剤５１を覆うように設けられる。
【００５５】
一方、基材１１の一方の端には、上方に突出した土手部１５が設けられている。そして、表面材３０は、土手部１５に沿うように設けられ、上方に延在する立ち上がり部３３を有している。この立ち上がり部３３は、クッション材２０が格納される凹部３１よりも外側にあり、立ち上がり部３３は、縁部３２の一部と見なされる。
【００５６】
表面材３０の凹部３１は、薄肉部３１ａであり、この部分にクッション材２０が格納されている。凹部３１は、凹部３１の開口部に向けて拡開している。すなわち、凹部３１には傾斜部３１ｓが設けられている。
【００５７】
そして、表面材３０の上面は段差がない。すなわち、凹部３１の上面（基材１１とは反対の側の面）と、縁部３２の上面（基材１１とは反対の側の面）と、は連続した面である。
【００５８】
そして、シール部５０は、土手部１５の立ち上がり面と、表面材３０における土手部１５に沿った立ち上がり部３３の端部と、の間に配置される。すなわち、シール部５０は、土手部１５と縁部３２との間を水密的に塞いでいる。この場合も、下層にクッション材２０が積層された部分とは異なる部分において、表面材３０と基材１１との水密的な封止が行われるので、シール切れを防止できる。
【００５９】
これにより、浴室用洗い場床１ｆにおいては、積層構造と単層構造の両方に利用でき、壁パネルと表面材との間や表面材と基材との間のシール切れを防止できる。
【００６０】
図８は、実施例の浴室用洗い場床１ｆに設けられる排水口の部分を部分的に例示している。図８に例示したように、浴室用洗い場床１ｆの排水口８に対応して、基材１１には排水口部１８が設けられている。排水口部１８には、排水口トラップ４０が取り付けられる。そして、基材１１の排水口部１８の上に、表面材３０の垂下部３８が積層されている。表面材３０の垂下部３８の厚さは、縁部３２の厚さよりも薄い。これにより、垂下部３８が基材１１の排水口部１８の形状に沿って位置合わせされることが容易になる。
【００６１】
一方、図７に例示したように、基材１１の土手部１５に沿って設けられる表面材３０の立ち上がり部３３における厚さは、縁部３２における厚さよりも薄い。これにより、立ち上がり部３３が柔軟になり、立ち上がり部３３が基材１１の土手部１５の形状に適合し易くなり、立ち上がり部３３と土手部１５とにおける基材１１と表面材３０との接着強度が向上する。そして、立ち上がり部３３と土手部１５とが位置合わせされ、表面材３０と基材１１との位置合わせが容易となる。
【００６２】
このように、本実施形態に係る浴室用洗い場床においては、クッション材２０を格納する凹部３１の周りに縁部３２が設けられ、凹部３１の厚さが縁部３２の厚さよりも薄ければ良く、例えば、上記の垂下部３８や立ち上がり部３３のように、排水口８の部分や、縁部３２のさらに外側において、厚さが薄い部分が表面材３０に設けられても良い。
【００６３】
（第２の実施の形態）
図９に表したように、第２の実施形態に係る浴室用洗い場床２ａも、基材１１と表面材３０とクッション材２０とシール部５０とを備える。
【００６４】
浴室用洗い場床２ａにおける基材１１は、土手部１５を有している。土手部１５は、洗い場側と浴槽側とを区切るための上方に突出した部分である。そして、この場合も、基材１１は、硬質な材料で形成される。
【００６５】
そして、浴室用洗い場床１ａと同様に、基材１１とクッション材２０と表面材３０とが積層される。すなわち、表面材３０は、縁部３２（厚肉部３２ａ）と、縁部３２よりも内側に設けられ、基材１１に対向する側が後退した凹部３１（薄肉部３１ａ）と、を有する。表面材３０は、縁部３２において、基材１１と接着されている。そして、クッション材２０は、表面材３０の凹部３１と基材１１との間に設けられる。
【００６６】
そして、シール部５０は、基材１１の土手部１５と、表面材３０の縁部３２との間を水密的に塞ぐ。
【００６７】
このような構成の浴室用洗い場床２ａにおいても、基材１１にクッション材２０を格納するための凹部を形成する必要がなく、基材１１の上面は、例えば平坦にすることができる。これにより、基材１１は、積層構造の浴室用洗い場床２ａとしても利用できると同時に、単層構造の浴室用洗い場床にも利用できる。
【００６８】
また、浴室用洗い場床２ａにおいては、土手部１５の側面と、表面材３０の縁部３２（厚肉部３２ａ）の上面と、にシール部５０が形成される。表面材３０の縁部３２（厚肉部３２ａ）は、凹部３１（薄肉部３１ａ）よりも上下方向の変形が小さいので、土手部１５と縁部３２と間の水密的な封止の強度は高い。これにより、基材１１の土手部１５と表面材との間のシール切れを防止できる。
【００６９】
そして、この場合も、表面材３０に設けられた凹部３１にクッション材２０が格納されるため、基材１１と表面材３０との間にクッション材２０が挟み込まれることに起因した応力が、表面材３０へ加えられることがないため、表面材３０と基材１１との接着強度は高い。これにより、表面材と基材との間のシール切れを防止できる。
【００７０】
また、図１０に例示したように、変形例の浴室用洗い場床２ｂにおいては、土手部１５と、表面材３０の縁部３２と、の間に隙間がある。そして、土手部１５の側面と、表面材３０の縁部３２（厚肉部３２ａ）の側面と、が対向する。この場合には、土手部１５の側面と、表面材３０の縁部３２の上面及び側面と、にシール部５０が形成される。従って、土手部１５及び縁部３２に接触するシール部５０の面積がより拡大し、土手部１５と縁部３２と間の水密的な封止の強度はさらに高められる。
【００７１】
なお、既に説明したように、縁部３２は、土手部１５に沿って立ち上がった立ち上がり部３３を有することができる。そして、図７に例示した浴室用洗い場床１ｆのように、シール部５０は、土手部１５と、縁部３２の一部である立ち上がり部３３と、の間を水密的に塞ぐように配置されることができる。これにより、下層にクッション材２０が積層された部分とは異なる部分において、表面材３０と基材１１との水密的な封止が行われるので、シール切れを防止できる。
【００７２】
（第３の実施の形態）
図１１に表したように、第３の実施形態に係る浴室用洗い場床３ａも、基材１１と表面材３０とクッション材２０とシール部５０とを備える。
【００７３】
基材１１は、周縁に壁パネル８０を載置するための水返し部１４を有する。表面材３０は、基材１１の上に設けられる。表面材３０は、縁部３２と、縁部３２よりも内側に設けられ、基材１１側に対向する側の面が縁部３２に対して凹状に形成された凹部３１と、を有する。縁部３２において、表面材３０は、基材１１と接着される。クッション材２０は、基材１１と凹部３１との間に設けられる。シール部５０は、水返し部１４と縁部３２との間を水蜜的に塞ぐ。
【００７４】
なお、本実施形態においても、基材１１、表面材３０、クッション材２０及びシール部５０には、既に説明した材料を適用できる。
【００７５】
図１２に表したように、基材１１の周縁に設けられる水返し部１４は、例えば、基材１１の中央部の上面よりも上方に立ち上がった第１壁部１４ａと、第１壁部１４ａよりも外側において、略水平方向に延在する壁パネル載置部１４ｂと、壁パネル載置部１４ｂの外側において、壁パネル載置部１４ｂの上面よりも上方に立ち上がった第２壁部１４ｃと、を有する。そして、壁パネル載置部１４ｂの上に壁パネル８０が載置される。
【００７６】
そして、本具体例では、水返し部１４の一部である第１壁部１４ａの側壁と、表面材３０の縁部３２とが、シール部５０によって水密的に塞がれている。シール部５０は、少なくとも、水返し部１４と、縁部３２と、の間に配置される。すなわち、シール部５０は、少なくとも、水返し部１４と縁部３２との間の隙間を覆うように設けられる。
【００７７】
本実施形態においても基材１１には、凹部を形成する必要がない。これにより、浴室用洗い場床３ａは、積層構造と単層構造の両方に利用できる。また、シール部５０は、水返し部１４と、縁部３２と、の間に配置されるので、基材１１と表面材３０との間のシール切れを防止できる。そして、表面材３０に設けられた凹部３１にクッション材２０が格納されるため、表面材３０へ応力が加えられることがなく、表面材３０と基材１１との接着強度が高く、これにより、表面材３０と基材１１との間のシール切れを防止できる。
【００７８】
本具体例においては、表面材３０の上面は、壁パネル載置部１４ｂの上面よりも下方に設定されている。これにより、表面材３０の上面に存在する水は、水返し部１４を超えて水返し部１４よりも外側に溢れることが防げる。
【００７９】
なお、シール部５０の上面の形状は、図１２に例示したように凸状でもよく、また凹状でも良く、また、直線状の傾斜面でも良く、任意である。また、図１２においては、第１壁部１４ａと壁パネル載置部１４ｂとの接続部、及び、壁パネル載置部１４ｂと第２壁部１４ｃとの接続部は、直角のコーナー部とされているが、直角でなくても良く、また、コーナー部は丸味を有していても良い。
【００８０】
以上、具体例を参照しつつ、本発明の実施の形態について説明した。しかし、本発明は、これらの具体例に限定されるものではない。例えば、浴室用洗い場床を構成する、基材、表面材、クッション材及びシール部などの各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【００８１】
その他、本発明の実施の形態として上述した浴室用洗い場床を基にして、当業者が適宜設計変更して実施し得る全ての浴室用洗い場床も、本発明の要旨を包含する限り、本発明の範囲に属する。
【００８２】
その他、本発明の思想の範疇において、当業者であれば、各種の変更例及び修正例に想到し得るものであり、それら変更例及び修正例についても本発明の範囲に属するものと了解される。
【符号の説明】
【００８３】
１ａ〜１ｆ、２ａ、２ｂ、３ａ…洗い場床（浴室用洗い場床）、  ８…排水口、  １１…基材、  １２…側壁部、  １２ａ…内側壁部、  １３…壁パネル載置部、  １４…水返し部、  １４ａ…第１壁部、  １４ｂ…壁パネル載置部、  １４ｃ…第２壁部、  １５…土手部、  １８…排水口部、  ２０…クッション材、  ３０…表面材、  ３１…凹部、  ３１ａ…薄肉部、  ３１ｓ…傾斜部、  ３２…縁部、  ３２ａ…厚肉部、  ３３…立ち上がり部、  ３８…垂下部、  ４０…排水口トラップ、  ５０…シール部、  ５１…充填材、  ８０…壁パネル
【図１】
2010248890.tif 000003
【図２】
2010248890.tif 000004
【図３】
2010248890.tif 000005
【図４】
2010248890.tif 000006
【図５】
2010248890.tif 000007
【図６】
2010248890.tif 000008
【図７】
2010248890.tif 000009
【図８】
2010248890.tif 000010
【図９】
2010248890.tif 000011
【図１０】
2010248890.tif 000012
【図１１】
2010248890.tif 000013
【図１２】
2010248890.tif 000014